(57)【要約】【課題】ティーマークが、ゴルフプレイヤのスイング動作を撮影し、その結果得られた画像を記憶することができるようにする。【解決手段】ティーマーク１１の筐体２１は、円形や楕円形等のディーマークとしての機能を果す形状を有している。カメラ２２は、ティーマーク１１に対応する位置でプレイするゴルフプレイヤを撮影する。センサ２３は、ゴルフボールが打撃されたことを検知するためのセンサである。スロット２４に装着されたメモリカード１２には、カメラ２２による撮影の結果得られた画像（例えば、ゴルフプレイヤのスイング動作の画像）が記憶される。本発明は、ティーマークに適用される。【選択図】図４
2008067763.tif 000002
【特許請求の範囲】
【請求項１】
ゴルフコースのホールに、ゴルフボールを打撃する位置を示す目印として設置されているティーマークにおいて、
ゴルフボールを打撃するゴルフプレイヤの動作を撮影する撮影手段と、
前記撮影手段による撮影の結果得られた画像を記憶媒体に記憶する記憶手段と
を備えるティーマーク。
【請求項２】
前記記憶媒体は、前記ティーマークに脱着可能とされている
請求項１に記載のティーマーク。
【請求項３】
前記記憶媒体に記憶された画像を、その画像を再生できる再生装置に無線又は有線で送信する送信手段
をさらに備える請求項１に記載のティーマーク。
【請求項４】
前記記憶手段は、前記撮影手段による撮影の結果得られた画像を、少なくとも所定時間連続する画像が記憶されるように上書きして記憶する
請求項１に記載のティーマーク。
【請求項５】
ゴルフボールが打撃されたタイミングを検出する検出手段をさらに備え、
前記記憶手段は、前記検出手段によりゴルフボールが打撃されたことが検出されたときから、所定時間分の画像を上書きせずに記憶する
請求項４に記載のティーマーク。
【発明の詳細な説明】
【技術分野】
【０００１】
本発明はティーマークに関し、特に、ゴルフプレイヤのスイング動作を撮影し、その結果得られた画像を記憶することができるようにしたティーマークに関する。
【背景技術】
【０００２】
従来、ゴルフクラブでゴルフボールを打撃するときの体やゴルフクラブの動き（すなわち、スウィング動作）を撮影し、その結果得られた画像から打球の飛距離や軌道等の各種情報を計測する方法が提案されている。
【０００３】
例えば、図１に示すように、被診断者となる利用者の前に設定されたカメラ１が、スウィング動作を撮影し、その結果得られた画像に基づいて各種情報が計測される（特許文献１参照）。
【０００４】
【特許文献１】特開２００５−２７０５３４号公報
【発明の開示】
【発明が解決しようとする課題】
【０００５】
しかしながら、図１に示したように、カメラ１が利用者に見えるように配置されている場合、利用者は自分が撮影されていると意識してしまい、本来のスイングができず、結局正確な情報が得られないなどの問題があった。
【０００６】
またこのような計測装置は、通常、ゴルフの練習場や、ゴルフクラブ等を販売する店舗内に設定されており、実際のゴルフコースに設置されて、プレイ中のスイング動作を撮影して記憶する方法は開発されていない。
【０００７】
本発明はこのような状況に鑑みてなされたものであり、ゴルフコースで実際にプレイする利用者（すなわち、ゴルフプレイヤ）があまり意識しないようにスイング動作を撮影して記憶することができるようにするものである。
【課題を解決するための手段】
【０００８】
本発明の一側面のティーマークは、ゴルフコースのホールに、ゴルフボールを打撃する位置を示す目印として設置されているティーマークにおいて、ゴルフボールを打撃するゴルフプレイヤの動作を撮影する撮影手段と、前記撮影手段による撮影の結果得られた画像を記憶媒体に記憶する記憶手段とを備える。
【０００９】
前記記憶媒体は、前記ティーマークに脱着可能とすることができる。
【００１０】
前記記憶媒体に記憶された画像を、その画像を再生できる再生装置に無線又は有線で送信する送信手段をさらに設けることができる。
【００１１】
前記記憶手段は、前記撮影手段による撮影の結果得られた画像を、少なくとも所定時間連続する画像が記憶されるように上書きして記憶することができる。
【００１２】
ゴルフボールが打撃されたタイミングを検出する検出手段をさらに設け、前記記憶手段は、前記検出手段によりゴルフボールが打撃されたことが検出されたときから、所定時間分の画像を上書きせずに記憶することができる。
【発明の効果】
【００１３】
本発明によれば、例えば、ゴルフプレイヤに意識させることなく、スイング動作を撮影し、その結果得られた画像を記憶することができる。
【発明を実施するための最良の形態】
【００１４】
図２は、本発明のティーマーク１１の利用例を示している。ティーマーク１１は、例えば、ゴルフコースの各ホールの１打目を打つところを示す目印である。なお図２のティーマーク１１は、右利きのゴルフプレイヤ用のティーマークであるが、本発明は、左利きのゴルフプレイヤ用のティーマークとしても利用することもできる。
【００１５】
ティーマーク１１には、カメラ２２（図４）が内蔵されており、そのカメラ２２により、例えばティーマーク１１に対応する位置に立つゴルフプレイヤを、図３に示すように、正面から撮影することができる。
【００１６】
ティーマーク１１は、メモリカード１２が脱着可能に構成されており、カメラ２２の撮影の結果得られた画像を、例えば装着されたメモリカード１２に記憶することができる。なお本明細書では、「記憶」という文言には、「記録」の意味が含まれているものとする。
【００１７】
メモリカード１２に記憶された画像（すなわち、スイング動作の画像）は、再生されて表示されたり、打球の飛距離や軌道等の各種情報を算出するのに用いられる。
【００１８】
図４は、図２のティーマーク１１の、図２のゴルフプレイヤ側から見たときの外観の構成例を示している。
【００１９】
ティーマーク１１の筐体２１は、円形や楕円形等のティーマークとしての機能を果す所定の形状を有し、また所定の色が付されている。
【００２０】
筐体２１には、カメラ２２、センサ２３、およびスロット２４が設けられている。なおこれらのカメラ２２乃至スロット２４は、例えば、外からは見えにくいように取り付けられている。
【００２１】
CCD（Charge Coupled Devices）カメラ、ハイスピードカメラ、インパクトカメラ、又は広角カメラ等で構成されるカメラ２２は、外部の風景を撮影する。すなわちティーマーク１１の位置に対応する位置でプレイするゴルフプレイヤが撮影される（図３）。
【００２２】
センサ２３は、ゴルフボールが打撃されたことを検知するためのセンサであり、例えば、打球音を集音するマイクを有して構成されており、そのマイクにより集音された音声から、ゴルフボールが打撃されたことを検知する。またゴルフクラブヘッドが横切るようにレーザ光線を出力する装置を有して構成されており、その装置により発されたレーザ光線を、ゴルフクラブヘッドが横切ったことを検知して、ゴルフボールが打撃されたことを検知する。
【００２３】
スロット２４にはメモリカード１２が装着されるようになされており、スロット２４に装着されたメモリカード１２には、後述するようにして、カメラ２２による撮影の結果得られた画像（すなわち、ゴルフプレイヤのスイング動作の画像）が記憶される。
【００２４】
図５は、ティーマーク１１の内部の構成例を示している。
【００２５】
画像処理部３１は、カメラ２２と接続され、カメラ２２による撮影の結果得られた画像データを取り込み、制御部３２に供給する。
【００２６】
制御部３２には、画像処理部３１から画像データが供給されるとともに、センサ２３から検知信号が供給される。
【００２７】
制御部３２は、画像処理部３１から供給された画像データを、センサ２３からの検知信号に応じて、スロット２４に装着されたメモリカード１２に記憶させる。
【００２８】
次に、ティーマーク１１の画像記憶処理を、図６のフローチャートを参照して説明する。
【００２９】
ステップＳ１において、ティーマーク１１の制御部３２は、所定のタイミングで上書き記憶を開始する。例えばプレイを開始する前に、各ゴルフプレイヤに各自のメモリカード１２が配られ、ゴルフプレイヤが第１打を打つ前にメモリカード１２をティーマーク１１のスロット２４に装着するものとした場合において、メモリカード１２がスロット２４に装着されたとき、上書き記憶が開始される。
【００３０】
このとき制御部３２はカメラ２２を制御して、撮影を開始させる。また制御部３２は、画像処理部３１を制御して、カメラ２２から、撮影の結果得られた画像データの取り込みと、取り込んだ画像データの制御部３２への供給を開始させる。
【００３１】
さらに制御部３２は、画像処理部３１から供給された画像を、所定時間（例えば、３秒間）連続する画像が記憶されるように上書きしてメモリカード１２に記憶する。
【００３２】
このように上書き記憶が開始されることにより、例えば図７に示すように、画像処理部３１から供給される撮影画像を時間軸上に模式的に表した場合、矢印Ａおよび矢印Ｂに対応するような、３秒間連続する画像がメモリカード１２に適宜記憶されるようになる。
【００３３】
ステップＳ２において、制御部３２は、センサ２３から、ゴルフボールが打撃されたことを示す検知信号が入力されるまで待機する。ここで待機されている間は、ステップＳ１で開始された上書き記憶が継続的に行われる。
【００３４】
ステップＳ２で、ゴルフボールが打撃されたことを示す検知信号が入力されたとき、ステップＳ３に進み、制御部３２は、ステップＳ１で開始された上書き記憶の上書きを止め、上書きせずに、画像処理部３１から供給された画像を、メモリカード１２に記憶させる。
【００３５】
ステップＳ４において、制御部３２は、ゴルフボールが打撃されたことを示す検知信号が入力されてから（すなわち、ゴルフボールが打撃されたときから）一定時間（例えば、１秒間）経過するまで待機し、その時間経過したとき、ステップＳ５に進み、画像のメモリカード１２への記憶を中止する。
【００３６】
例えば図７の上向きの矢印Ｃが示すタイミングでゴルフボールが打撃されたとき、その時点から１秒間経過するまでの撮影画像がさらに記憶される。すなわち矢印Ｄに対応する画像のように、ゴルフボールが打撃されてから１秒間の画像が上書きされずに記憶される。
【００３７】
図６に戻り、その後、処理は終了し、上書き記憶を開始するタイミング（例えば、次のゴルフプレイヤのメモリカード１２がスロット２４に装着されたとき）、ステップＳ１以降の処理が同様に再開される。
【００３８】
以上のように、実際のゴルフコースに置かれるティーマーク１１が、ゴルフプレイヤのスイング動作を撮影し、その結果得られた画像を記憶するようにしたので、ゴルフプレイヤは、撮影されていることを意識せずにスイングでき、ゴルフプレイヤの本来のスイング動作の画像を記憶することができる。
【００３９】
なおスイング動作画像が記憶されたメモリカード１２は、例えば、スイング後ゴルフプレイヤにより取り出される。ゴルフプレイヤは、例えば、取り出したメモリカード１２を持って、次のコースへ移動し、そのコースでプレイするとき、メモリカード１２を、そこに設置されているティーマークに装着する。このようにして各コースでのスイング動作を撮影させ、その結果得られた画像を記憶させることができる。
【００４０】
また例えば全コースのプレイが終了したとき、ゴルフプレイヤは、例えば、メモリカード１２に記憶された自分の画像を、クラブハウス又は自宅のパーソナルコンピュータを利用して再生して、見ることができる。
【００４１】
また以上のように、３秒間連続する画像を記憶し、ゴルフボールが打撃されてから１秒間上書きせずに記憶するようにしたので、図８に示すように、いわゆるアドレス、テイクバック、トップ、ダウンスウィング、インパクト 、フォロー、フィニッシュ等のスイングを構成する各動作を適切に記憶することができる。
【００４２】
なお以上においては各プレイヤに各自のメモリカード１２が配られるものとしたが、１グループに１個のメモリカード１２が配されるようにし、メモリカード１２に、複数人の画像が記憶されるようにしてもよい。この場合、例えば各プレイヤ毎のファイルが形成され、そこに各プレイヤの画像が記憶される。
【００４３】
また以上においては撮影の結果得られた画像をメモリカード１２に記憶するものとしたが、その画像を、例えばクラブハウスにあるパーソナルコンピュータに無線又は有線で送信することもできる。
【００４４】
また以上においてはティーマーク１１の電源については言及しなかったが、バッテリーを内蔵させて、そこから電源が供給されるようにすることもできる。またいわゆるソーラパネル発電機と接続させて、そこから電源が供給されるようにすることもできる。
【００４５】
またティーマーク１１は、各コースに備え付けられているものとしたが、携帯可能とすることもできる。すなわちティーマーク１１の筐体２１は、自立可能な形状を有し、取手などの携帯するのに便利な形状を有するようにすることもできる。
【００４６】
なお、本発明の実施の形態は、上述した実施の形態に限定されるものではなく、本発明の要旨を逸脱しない範囲において種々の変更が可能である。
【図面の簡単な説明】
【００４７】
【図１】従来のスイング動作を撮影するカメラ１の利用例を示す図である。
【図２】本発明のティーマーク１１の利用例を示す図である。
【図３】撮影例を示す図である。
【図４】ティーマーク１１の外観の構成例を示す図である。
【図５】ティーマーク１１の内部の構成例を示すブロック図である。
【図６】ティーマーク１１の画像記憶処理を説明するフローチャートである。
【図７】ティーマーク１１の画像記憶処理を説明する図である。
【図８】撮影例を示す他の図である。
【符号の説明】
【００４８】
１１  ティーマーク，  １２  メモリカード，  ２１  筐体，  ２２  カメラ，  ２３  センサ，  ２４  スロット，  ３１  制御部，  ３２  画像処理部
【図１】
2008067763.tif 000003
【図２】
2008067763.tif 000004
【図３】
2008067763.tif 000005
【図４】
2008067763.tif 000006
【図５】
2008067763.tif 000007
【図６】
2008067763.tif 000008
【図７】
2008067763.tif 000009
【図８】
2008067763.tif 000010